(57)【要約】【課題】  保管に要する占有空間を小さくして、収納性および運搬性を向上することのできるペット用排尿吸収具を提供する。【解決手段】  折畳まれた状態から平坦状の展開状態に展開して使用される排尿吸収マット５であって、通気性および透水性を有する表面シート２と、当該表面シート２の周縁部に接合される不透水性の裏面シート３と、フラッフ状繊維から成り、当該表面シート２と当該裏面シート３との間に介在される吸収層４とを含む排尿吸収マット５と、可撓性および撥水性を有し、長手方向中央部が前記表面シート２に固着される帯状のシート体６とを含み、前記シート体６は、少なくとも長手方向一端部に、該シート体６の長手方向他端部と接合するための接合部を有し、前記排尿吸収マット５を展開させた状態で当該接合部によって長手方向両端部を接合して、立設可能である。【選択図】      図１
2012090529.tif 000002
【特許請求の範囲】
【請求項１】
折畳まれた状態から平坦状の展開状態に展開して使用される排尿吸収マットであって、通気性および透水性を有する表面シートと、当該表面シートの周縁部に接合される不透水性の裏面シートと、フラッフ状繊維から成り、当該表面シートと当該裏面シートとの間に介在される吸収層とを含む排尿吸収マットと、
可撓性および撥水性を有し、長手方向中央部が前記表面シートに固着される帯状のシート体とを含み、
前記シート体は、少なくとも長手方向一端部に、該シート体の長手方向他端部と接合するための接合部を有し、前記排尿吸収マットを展開させた状態で当該接合部によって長手方向両端部を接合して、立設可能であることを特徴とするペット用排尿吸収具。
【請求項２】
前記接合部は、粘着テープによって形成されることを特徴とする請求項１に記載のペット用排尿吸収具。
【請求項３】
前記接合部は、前記シート体に形成された切込みによって分断された部分であることを特徴とする請求項１に記載のペット用排尿吸収具。
【発明の詳細な説明】
【技術分野】
【０００１】
本発明は、ペット用排尿吸収具に関する。
【背景技術】
【０００２】
近年、愛玩動物であるペットを屋内で飼育する人が増加している。たとえば犬をペットとして屋内で飼育する場合、ペットが排泄する尿を吸収して回収するために、ペット用シートなどと称されるペット用排尿吸収具が用いられている。このペット用排尿吸収具（以下、単に「排尿吸収具」と記す場合がある。）は、排泄容器内、または直接床面に水平に敷設して使用されている。排尿吸収具は、不織布から成る表面シートと合成樹脂から成る不透水性の裏面シートとの間に吸収層を介在させた構成となっており、表面シート上にペットが排尿をした場合、その排尿は表面シートを透過して吸収層に浸透し、この吸収層によって排尿を吸収して保持することによって、吸収した排尿が外部へ漏れ出さないように回収することができるように構成されている。
【０００３】
しかしながら、ペットはその習性として排尿行為を単に生理現象として行うだけでなく、自らの縄張りを主張するためのマーキングとして行う場合もあり、排尿吸収具を設置しているにも関わらず、部屋の壁面や家具などに排尿がなされ、屋内が汚損されるという問題がある。
【０００４】
このような問題を解決するための従来技術として、たとえば特許文献１には、基板上面に吸水シートを敷設し、当該吸水シート体から突設するポール体を設けることによって、ペットが立設された物体に排尿を行うという習性を利用し、マーキングなどの場合であっても、ペットの排尿が吸水シート上になされ、周囲の床および壁などの汚損を防止することを目的としたペット用排尿吸収具に関する技術が開示されている。また、同様の技術は特許文献２にも開示されている。
【０００５】
しかしながら、特許文献１および２に記載の従来技術では、ポール体が折畳み可能に構成されていないので、使用前の排尿吸収具を保管しておくために大きな占有空間を要し、収納性および運搬性が悪いという問題がある。
【先行技術文献】
【特許文献】
【０００６】
【特許文献１】実開平３−１０２８３２号公報
【特許文献２】実用新案登録第３０５０２８９号公報
【発明の概要】
【発明が解決しようとする課題】
【０００７】
本発明の目的は、保管に要する占有空間を小さくして、収納性および運搬性を向上することのできるペット用排尿吸収具を提供することである。
【課題を解決するための手段】
【０００８】
本発明は、折畳まれた状態から平坦状の展開状態に展開して使用される排尿吸収マットであって、通気性および透水性を有する表面シートと、当該表面シートの周縁部に接合される不透水性の裏面シートと、フラッフ状繊維から成り、当該表面シートと当該裏面シートとの間に介在される吸収層とを含む排尿吸収マットと、
可撓性および撥水性を有し、長手方向中央部が前記表面シートに固着される帯状のシート体とを含み、
前記シート体は、少なくとも長手方向一端部に、該シート体の長手方向他端部と接合するための接合部を有し、前記排尿吸収マットを展開させた状態で当該接合部によって長手方向両端部を接合して、立設可能であることを特徴とするペット用排尿吸収具である。
【０００９】
また本発明は、前記接合部は、粘着テープによって形成されることを特徴とする。
また本発明は、前記接合部は、前記シート体に形成された切込みによって分断された部分であることを特徴とする。
【発明の効果】
【００１０】
本発明によれば、排尿吸収マットの表面シートに帯状のシート体の長手方向中央部が固着され、このシート体の少なくとも長手方向一端部に接合部が設けられるので、ペット用排尿吸収具を使用しない未使用状態においては、シート体を排尿吸収マットと共に折畳んで小形化することができる。したがって、保管に必要な占有空間を小さくして、収納性および運搬性を向上することができる。また、排尿吸収マットにシート体が固着されているので、保管している際に、構成物品の一部をなくしてしまい、排尿吸収マットとシート体との数が不整合な状態となることを防止することができる。
【００１１】
また本発明によれば、接合部が、粘着テープによって形成されているので、粘着テープを貼着するだけでシート体を容易に立設することができる。
【００１２】
また本発明によれば、接合部が、シート体に形成された切込みによって分断された部分であるので、切込みを係合するだけでシート体を容易に立設することができる。
【図面の簡単な説明】
【００１３】
【図１】本発明の一実施形態であるペット用排尿吸収具１の平面図である。
【図２】ペット用排尿吸収具１の一部を示す拡大断面図である。
【図３】ペット用排尿吸収具１の展開状態を示す斜視図である。
【図４】ペット用排尿吸収具１の折畳み方を示す図である。
【図５】本発明の他の実施形態であるペット用排尿吸収具１Ａの平面図である。
【発明を実施するための形態】
【００１４】
図１は、本発明の一実施形態であるペット用排尿吸収具１の平面図である。図２は、ペット用排尿吸収具１の一部を示す拡大断面図である。ペット用排尿吸収具１は、床面やペットの排尿場所に設置された排泄容器内などにほぼ水平に敷設して使用する吸収性物品であり、犬および猫などのペットが排泄した尿を吸収して回収するために用いられる。
【００１５】
ペット用排尿吸収具１は、通気性および透水性を有する表面シート２と、この表面シートに周縁部で接合される不透水性の裏面シート３と、表面シート２および裏面シート３の間に介在されるフラッフ状繊維から成る吸収層４と、一表面の長手方向中央部が前記表面シート２に固着される帯状のシート体６とを含む。前記表面シート２と、裏面シート３と、吸収層４とによって、排尿吸収マット５を構成する。
【００１６】
以下の説明において、排尿吸収マット５が折畳まれた状態から平坦状に展開された展開状態におけるペット用排尿吸収具１の厚みに沿う方向を厚み方向Ｘとし、ペット用排尿吸収具１の長手方向に相当する方向を長手方向Ｙとし、厚み方向Ｘおよび長手方向Ｙに垂直な方向を幅方向Ｚとする。
【００１７】
排尿吸収マット５の展開状態における長手方向、幅方向、および厚み方向は、それぞれペット用排尿吸収具１の長手方向Ｙ、幅方向Ｚ、および厚み方向Ｘと一致する。排尿吸収マット５の展開状態における長手方向、幅方向、および厚み方向の寸法は、それぞれ４５ｃｍから９０ｃｍ、４５ｃｍから９０ｃｍ、０．１ｃｍから０．５ｃｍの範囲内であればよく、本実施形態では、排尿吸収マット５の展開状態における長手方向、幅方向、および厚み方向の寸法は、６０ｃｍ、６０ｃｍ、および０．２ｃｍである。
【００１８】
表面シート２は、通気性および透水性を有するシートであればよく、たとえば合成繊維および再生繊維から成る繊維シートまたは繊維ウェッブの繊維同士を物理的に交絡させて形成される不織布などを用いることができる。本実施の形態では、不織布を用いて形成される。表面シート２は、通気性および透水性を有するシートであるので、表面シート２側から、排尿を吸収することができる。また、表面シート２の吸収層４に臨む内方面７は、吸収層４とほぼ全面にわたって接触している。
【００１９】
裏面シート３は、不透水性で可撓性を有するシートなどを用いて形成することができ、本実施の形態では、たとえばポリエチレン製のシートが用いられる。また、裏面シート３の吸収層４に臨む内方面８は、吸収層４とほぼ全面にわたって接触している。
【００２０】
吸収層４は、フラッフ状繊維および吸水性ポリマを含む。フラッフ状繊維は、たとえばパルプを１ｍｍ以上１０ｍｍ以下の長さに切断したものであって、綿状にした綿状パルプを用いることができる。吸収層４は、フラッフ状繊維で形成されるので、吸収層４は繊維間に多数の空隙を有する。したがって、液体を面方向および厚み方向に効率よく移動させて吸収することができる。
【００２１】
吸水性ポリマは、自重の約１０倍以上３００倍以下の水分を吸収してゲル状に凝固する高分子吸収体であり、吸水性ポリマとしては、たとえば抗菌性を有する吸水性ポリマや荷重下通液性を有する吸水性ポリマ等を用いることができる。前記抗菌性を有する吸水性ポリマの例としては商品名サンフレッシュＳＴ−９００Ｅ（サンダイヤポリマー株式会社製）を挙げることができ、荷重下通液性を有する吸水性ポリマとしては、商品名サンウェットＩＭ−９３０（サンダイヤポリマー株式会社製）を挙げることができる。本実施形態では、吸水性ポリマとして、アクリル酸ナトリウム塩およびアクリル酸カリウム塩などのポリマ吸収体に、抗菌剤を電気的に重合させて付着させた抗菌性を有する高機能ポリマ吸収体を用いている。このように吸水性ポリマが抗菌性も有することで、吸収層４における菌の繁殖を抑えることができる。
【００２２】
また、本実施形態では、吸水性ポリマは、吸収層４内に均等に分散されている。このように構成されることによって、ペットの排尿が表面シート２上のいずれの部分から滴下された場合であっても、効率よく排尿を吸収し保持することができる。
【００２３】
シート体６は、帯状のシート体であって、可撓性および撥水性を有するシートなどを用いて形成することができ、たとえばポリエチレン製のシートや光沢紙などが用いられる。本実施形態では、光沢紙が用いられる。また、シート体６の長手方向、幅方向、および厚み方向の寸法は、それぞれ４５ｃｍから９０ｃｍ、６ｃｍから１２ｃｍ、０．２ｍｍから０．５ｍｍの範囲内であればよく、本実施形態では、長手方向、幅方向、および厚み方向の寸法は、それぞれ６０ｃｍ、８ｃｍ、および０．２５ｍｍである。
【００２４】
シート体６は、展開状態の排尿吸収マット５において、幅方向Ｚ中央部であって、長手方向Ｙにおける排尿吸収マット５の全幅にわたって、表面シート２の吸収層４に臨む内方面７とは厚み方向Ｘ反対側の面である外方面９上に固着して形成される。本実施形態では、シート体６の長手方向の中央部に両面に粘着層を有する粘着テープ１０が貼着され、粘着テープ１０によって表面シート２の外方面９上に固着されている。なお、シート体６の長手方向、幅方向、および厚み方向は、それぞれペット用排尿吸収具１の長手方向Ｙ、幅方向Ｚ、および厚み方向Ｘと一致する。
【００２５】
シート体６の長手方向一端部であって、外方面９と対向する面１１とは厚み方向反対側の面１２上には、接合部として、両面に粘着層を有する粘着テープ１３が貼着して設けられる。粘着テープ１３は、厚み方向両面のうち、シート体６の面１２と対向する面１４は粘着層が露出することによって、面１２に貼着されており、面１４と厚み方向反対側の面１５には、剥離紙が剥離可能に貼着されている。
【００２６】
シート体６には、複数の折れ線１８，１９が、シート体６の幅方向全幅にわたって、幅方向Ｚと平行に設定される。各折れ線１８，１９は、シート体６の長手方向の寸法を３等分する位置に選ばれる。本実施形態において、折れ線１８は、粘着テープ１３が設けられない他端部側の端辺である長手方向他端辺２１から長手方向一端辺２０に向かう方向に２０ｃｍ離間した箇所に設定され、折れ線１９は、粘着テープ１３が設けられる一端部側の長手方向一端辺２０から長手方向他端辺２１に向かう方向に２０ｃｍ離間した箇所に設定される。
【００２７】
このように、本実施形態のシート体６は、両端辺２０，２１と複数の折れ線１８，１９とによって、３つの領域に区分される。以下では、シート体６の両端辺２０，２１と複数の折れ線１８，１９とによって区分された各領域のうち、長手方向一端辺２０と折れ線１９との間の領域を領域Ｃ、長手方向他端辺２１と折れ線１８との間の領域を領域Ｄ、折れ線１８と折れ線１９との間の領域を領域Ｅとする。
【００２８】
ペット用排尿吸収具１は、床面や排泄容器内などに平坦状に展開して敷設して使用される。図３は、ペット用排尿吸収具１の展開状態を示す斜視図である。同図に示すように、展開状態においてシート体６は、長手方向端部同士を接合して、側面視が略三角形の形状に立設される。
【００２９】
立設方法を具体的に説明すると、まずシート体６を折れ線１８および１９に沿って、領域Ｃと領域Ｄとが互いに近接する方向、すなわちシート体６の面１２同士が近接する方向Ｇ１に折り、領域Ｃと領域Ｄとがある程度近接した段階で、シート体６の長手方向一端辺２０から長手方向他端辺２１に向かって所定距離Ｄ１だけ離隔された箇所（図１において線１６で示す箇所）およびシート体６の長手方向他端辺２１から長手方向一端辺２０に向かう方向に所定距離Ｄ２離隔された箇所（図１において線１７で示す箇所）で、領域Ｃの長手方向一端辺２０側の端部Ａと領域Ｄの長手方向他端辺２１側の端部Ｂとを方向Ｇ１とは反対方向Ｇ２に折り返す。この段階で、粘着テープ１３の剥離紙を剥離し、端部Ａの面１２と端部Ｂの面１２とが対向するように、粘着テープ１３によって、端部Ａと端部Ｂとを貼着する。
【００３０】
なお、端部Ａは、領域Ｃ内のシート体６の長手方向一端辺２０から長手方向他端辺２１に向かう方向に、長手方向一端辺２０から所定距離Ｄ１離隔された範囲までの領域であり、端部Ｂは、領域Ｄ内のシート体６の長手方向他端辺２１から長手方向一端辺２０に向かう方向に、長手方向他端辺２１から所定距離Ｄ２離隔された範囲までの領域である。
【００３１】
本実施形態において距離Ｄ１と距離Ｄ２とは、同じ距離に形成される。距離Ｄ１と距離Ｄ２とは、２０ｍｍ〜３０ｍｍの範囲内であればよく、本実施形態では、２５ｍｍに形成される。
【００３２】
なお、粘着テープ１０は、折れ線１８と１９との間の領域である、領域Ｅに形成され、粘着テープ１３は、端部Ａに設けられる。
【００３３】
このように立設された状態では、前述のようにシート体６の長手方向の中央部に両面に粘着層を有する粘着テープ１０が形成され、粘着テープ１０によって表面シート２の外方面９上に固着されているので、シート体６は排尿吸収マット５の長手方向および幅方向の略中央に、シート体６の面１２同士が内向きに対向し、面１１が外方に臨んだ状態で立設される。
【００３４】
このようにシート体６を組立てることによって、ペットが立上がる物体に排尿を行うという習性を利用し、マーキングなどの場合であっても、ペットの排尿が排尿吸収マット５上になされるように誘導することができるので、排尿吸収具の設置場所以外での排尿行為によって、屋内を汚損するという不具合を防止することができる。
【００３５】
展開状態の排尿吸収マット５上にシート体６を組立てて、立設させた状態において、ペットが排尿するとき、そのペットは習性上、立設されたシート体６の外方に臨む面１１に向けて排尿する。シート体６は、撥水性を有するので、面１１上に付着した尿は、面１１に沿って排尿吸収マット５に向かって流下し、表面シート２を透過して吸収層４に吸収されて保持される。またこの場合に、排尿の一部が面１１に接触することなく、下方に飛散しても、シート体６は排尿吸収マット５の長手方向および幅方向の略中央に立設されているので、立設されたシート体６に接触せずに飛散した排尿の一部も、排尿吸収マット５の表面シート２上に飛翔し、この表面シート２を透過して吸収層４に吸収され、保持される。
【００３６】
図４は、ペット用排尿吸収具１の折畳み方を示す図である。図４に示すように、ペット用排尿吸収具１には、ペット用排尿吸収具１を９等分するように、長手方向Ｙおよび幅方向Ｚにそれぞれ平行な折れ線が２本ずつ形成されている。以下では、長手方向Ｙに平行な２本の折れ線をそれぞれＬ１，Ｌ２と称し、幅方向Ｚに平行な２本の折れ線をＬ３，Ｌ４と称する。
【００３７】
ペット用排尿吸収具１の折畳み方について説明する。以下では、排尿吸収マット５の展開状態において表面シート２同士が近接する方向に折ることを内折りと称する。ペット用排尿吸収具１の折畳み方は、まず折れ線Ｌ１に沿って、内折り（図４で示すＨ方向に折る）し、表面シート２同士が当接するまで折曲げる。そして、折れ線Ｌ２に沿って、内折り（図４で示すＩ方向に折る）し、表面シート２と裏面シート３とが当接するまで折曲げる。同様に折れ線Ｌ３およびＬ４に沿って内折り（図４で示すＪ方向およびＫ方向に折る）し、裏面シート３と裏面シート３とが当接するまで折り曲げる。
【００３８】
このように折畳むことによって、折畳む前の状態よりもその占有空間を９分の１にすることができる。したがって、ペット用排尿吸収具１を使用しない未使用状態においては、シート体６を排尿吸収マット５と共に折畳んで小形化することができ、保管に必要な占有空間を小さくして、収納性および運搬性を向上することができる。
【００３９】
また、ペット用排尿吸収具１には、ペット用排尿吸収具１を９等分するように、長手方向Ｙおよび幅方向Ｚにそれぞれ平行な折れ線が２本ずつ形成されているので、ペット用排尿吸収具１を上記のように折畳むことによって、シート体６の幅方向全幅にわたって、幅方向Ｚと平行に、シート体６の長手方向の寸法を３等分する位置に折れ目が形成されることになる。このように折れ線１８および１９に沿って折れ目が形成されることになるので、シート体６の組立てを行いやすくすることができる。
【００４０】
なお、ペット用排尿吸収具１の折畳み方は、上記順序に限らず、折れ線Ｌ１とＬ２に沿って折られる順序が逆でもよく、折れ線Ｌ３とＬ４とに沿って折られる順序が逆でもよい。また、折れ線Ｌ３およびＬ４に沿って折られるのが、折れ線Ｌ１およびＬ２沿って折られるのよりも先であってもかまわない。
【００４１】
また、排尿吸収マット５にシート体６が粘着テープ１０によって固着されているので、保管している際に、構成物品の一部をなくしてしまい、排尿吸収マット５とシート体６との数が不整合な状態となることを防止することができる。
【００４２】
また、排尿吸収マット５やシート体６にペットを誘引する物質が塗布されている場合には、折畳むことによって、排尿吸収マット５やシート体６が大気と直接触れる面積を少なくすることができるので、当該物質が放散することを防止することができる。
【００４３】
また、ペット用排尿吸収具１に排尿がされ、処分する場合にも、このように折畳むことができるので、ペットの排尿によるアンモニア臭などの人にとって不快な臭いが漏れ出すことを防止することができる。
【００４４】
本実施形態では、シート体６は、粘着テープ１０によって、表面シート２の外方面９上に固着されているが、粘着テープ１０に限らず、シート体６は、表面シート２の外方面９上に固着されていればよい。たとえば、シート体６の外方面９と対向する面１１または外方面９に粘着性物質を塗布することによって、固着してもよい。
【００４５】
また、排尿吸収マット５には、たとえばペットが犬の場合、犬を誘引することのできる物質、たとえば犬が好む草むらの香りを放散する物質、たとえば商品名Ｐｅｔ．１０５−２１２７（寿香料株式会社製）や商品名ハーブ風のＰｅｔ．１０５−２１７３（寿香料株式会社製）を含んで構成してもよい。誘引物質は、吸収層４に均等に分散されていてもよく、表面シート２または裏面シート３に塗布されていてもよい。このように犬が好む誘引物質を排尿吸収マット５が含んでいることによって、より確実にペット用排尿吸収具１に犬を誘引し、排尿吸収マット５上に排尿をさせることができる。
【００４６】
また、シート体６には、たとえばペットが犬の場合、犬を誘引することのできる物質、たとえば尿素を含んで構成してもよい。具体的には、シート体６の面１１上に尿素を塗布または貼付する。面１１は、シート体６が立設された状態において、外方に臨む面であるので、面１１上に尿素を塗布または貼付することによって、効率よく尿素を放散することができ、犬を誘引することができる。
【００４７】
また、犬は自らがマーキングを行う位置よりも低い位置に尿素があれば、自分よりも大きな犬は周囲にいないと判断し、その場所にマーキングを行う習性を有するので、犬の大きさによって尿素の塗布または貼付する位置を変更することによって、マーキングによる排尿をより確実にペット用排尿吸収具１に対して行わせることができ、より効率よく屋内の汚損を防止することができる。
【００４８】
図５は、本発明の他の実施形態であるペット用排尿吸収具１Ａの平面図である。ペット用排尿吸収具１Ａは、ペット用排尿吸収具１と略同一に構成されるので、対応する部分についてはそれぞれ同一の参照符を付し、重複する説明を省略する。ペット用排尿吸収具１Ａは、ペット用排尿吸収具１とシート体についての構成が異なる。
【００４９】
ペット用排尿吸収具１Ａは、通気性および透水性を有する表面シート２と、この表面シートに周縁部で接合される不透水性の裏面シート３との間に、表面シート２および裏面シート３の間に介在されるフラッフ状繊維から成る吸収層４と、一表面の長手方向中央部が前記表面シート２に固着される帯状のシート体６Ａとを含む。前記表面シート２と、裏面シート３と、吸収層４とによって、排尿吸収マット５を構成する。
【００５０】
シート体６Ａの長手方向一端部および他端部には、それぞれ切込み３０ａおよび切込み３０ｂが形成される。この切込み３０ａおよび切込み３０ｂによって分断された部分が、本実施形態における接合部である。切込み３０ａは、シート体６Ａの幅方向一端辺から幅方向他端辺に向かって、シート体６Ａの幅方向の寸法の２分の１の位置、すなわち４ｃｍの位置まで形成される。
【００５１】
切込み３０ｂは、シート体６Ａの幅方向他端辺から幅方向一端辺に向かって、シート体６Ａの幅方向の寸法の２分の１の位置、すなわち４ｃｍの位置まで形成される。
【００５２】
切込み３０ａは、端部Ａ内の長手方向Ｙ中央部に形成され、切込み３０ｂは、端部Ｂ内の長手方向Ｙ中央部に形成される。なお、切込み３０ａと切込み３０ｂとが形成される向きは、逆であってもよく、切込み３０ｂが、シート体６Ａの幅方向一端辺から幅方向他端辺に向かって形成され、切込み３０ａが、シート体６Ａの幅方向他端辺から幅方向一端辺に向かって形成されてもよい。
【００５３】
シート体６Ａの立設方法を具体的に説明すると、まずシート体６Ａを折れ線１８および１９に沿って、領域Ｃと領域Ｄとが互いに近接する方向、すなわちシート体６の面１２同士が近接する方向Ｇ１に折り、切込み３０ａおよび３０ｂを係合する。このように構成することによっても、シート体６と同様の効果を奏することができる。
【符号の説明】
【００５４】
１  ペット用排尿吸収具
２  表面シート
３  裏面シート
４  吸収層
５  排尿吸収マット
６  シート体
【図１】
2012090529.tif 000003
【図２】
2012090529.tif 000004
【図３】
2012090529.tif 000005
【図４】
2012090529.tif 000006
【図５】
2012090529.tif 000007